(57)【特許請求の範囲】
【請求項１】
歩行者保護エアバッグ装置において、ガス発生器と連結された基部（１３）と、前記基部（１３）に沿って細長く展開する第２の部分（１０）と、前記第２の部分（１０）の長手方向両端部にから前記基部（１３）と反対側に向かって突出するように展開する第１の部分（１１，１２）とを有するエアバッグをパッケージ化する方法であって、
前記第１の部分（１１、１２）を前記第２の部分（１０）に向けて少なくとも部分的に折り畳むとともに、少なくとも１つのＺ折り目を設けるように更に折り畳むステップと、
前記折り畳まれた第１の部分（１１、１２）および前記第２の部分（１０）を前記第２の部分の前記第１の部分（１１，１２）と反対側の前記基部（１３）に向けて少なくとも部分的に巻回するステップとを含み、
前記第１の部分（１１，１２）の２本の前記Ｚ折り目は、前記基部（１３）から遠ざかるに従って互いの間隔が近くなるように、前記基部（１３）の長手方向に対して傾斜していることを特徴とする方法。
【請求項２】
前記エアバッグ（９）の前記基部（１３）が、ガスの供給源に接続されるべき入口（１４）を備える、請求項１に記載の方法。
【請求項３】
前記エアバッグ（９）の前記第１の部分を折り畳むことにより、前記エアバッグ（９）の前記基部（１３）の全長が低減される、請求項１又は２に記載の方法。
【請求項４】
前記エアバッグ（９）の前記第２の部分（１０）の全体の大きさを低減するために前記エアバッグ（９）の前記第２の部分（１０）を折り畳むことで追加の折り目（３２，３３）を形成する工程を更に含むことを特徴とする請求項１〜３のいずれか一項に記載の方法。
【請求項５】
前記追加の折り目（３２，３３）は、Ｚ折り目である、請求項４に記載の方法。
【請求項６】
前記エアバッグ（９）の前記基部（１３）が、ガスの供給源に接続されるべき入口（１４）を備え、
前記または各追加の折り目（３２、３３）が、前記エアバッグ（９）の前記入口（１４）に隣接している、請求項４または５に記載の方法。
【請求項７】
前記巻回が第１の方向に行われ、
前記第１の方向とは反対である第２の方向に前記エアバッグ（９）の他の部分を巻回する工程を更に含む、請求項１〜６のいずれか一項に記載の方法。
【請求項８】
前記エアバッグの一部分を他の部分の内側に折り込む工程を更に含む、請求項１〜７のいずれか一項に記載の方法。
【請求項９】
前記エアバッグ（９）を前記パッケージ化された状態に保持するために、保持要素を前記巻回されたエアバッグ（９）に取り付ける工程を更に含む、請求項１〜８のいずれか一項に記載の方法。
【請求項１０】
前記保持要素が破断可能な糸であり、かつ、前記保持要素を設けるステップが、前記糸を前記エアバッグ（９）の少なくとも一部に縫着することを含む、請求項９に記載の方法。
【請求項１１】
前記巻回するステップが、膨張可能なカーテンエアバッグを巻回するための装置を使用して前記エアバッグ（９）を巻回することを含む、請求項１〜１０のいずれか一項に記載の方法。
【請求項１２】
前記エアバッグ（９）の少なくとも一部をハウジング（２０）に挿入する工程を更に含む、請求項１〜１１のいずれか一項に記載の方法。
【請求項１３】
歩行者保護エアバッグ装置に使用されるパッケージ化されたエアバッグ（９）であって、
入口（１４）を備えた基部（１３）と、
前記基部（１３）に向けて折り畳まれるとともに、少なくとも１つのＺ折り目を有するように更に折り畳まれる第１の部分（１１、１２）と、
前記第１の部分（１１、１２）とともに、少なくとも部分的に巻回される第２の部分（１０）とを備え、
前記第１の部分（１１，１２）は、前記第２の部分（１０）の長手方向両端部から突出し、
前記第１の部分（１１，１２）の２本の前記Ｚ折り目は、前記基部（１３）から遠ざかるに従って互いの間隔が近くなるように、前記基部（１３）の長手方向に対して傾斜しており、
当該エアバッグ（９）の作動時には、前記入口（１４）を通して前記エアバッグ（９）内に導入されたガスが、前記エアバッグ（９）の巻回を少なくとも部分的に解き、その後、前記エアバッグ（９）を少なくとも部分的に広がるように展開するパッケージ化されたエアバッグ。
【請求項１４】
前記入口（１４）がガスの供給源に接続される、請求項１３に記載のパッケージ化されたエアバッグ。
【請求項１５】
前記エアバッグ（９）の前記基部（１３）の全長が、前記エアバッグ（９）の前記第１の部分（１１、１２）における前記折り目（１５、１６）により低減される、請求項１３又は１４に記載のパッケージ化されたエアバッグ。
【請求項１６】
前記エアバッグ（９）の前記第２の部分（１０）の全体の大きさが、追加の折り目（３２）により低減される、請求項１３〜１６のいずれか一項に記載のパッケージ化されたエアバッグ。
【請求項１７】
前記エアバッグ（９）の前記第２の部分（１０）が、前記エアバッグ（９）の前記第２の部分（１０）にＺ折り目を作るために追加の折り目（３３）で折り畳まれる、請求項１６に記載のパッケージ化されたエアバッグ。
【請求項１８】
前記入口（１４）がガスの供給源に接続され、
前記追加の折り目（３２、３３）が、前記エアバッグ（９）の前記入口（１４）に隣接している、請求項１６又は１７に記載のパッケージ化されたエアバッグ。
【請求項１９】
前記エアバッグ（９）の前記第２の部分（１０）が、第１の方向に少なくとも部分的に巻回され、かつ、前記エアバッグ（９）の他の部分が、前記第１の方向とは反対である第２の方向に少なくとも部分的に巻回される、請求項１３〜１８のいずれか一項に記載のパッケージ化されたエアバッグ。
【請求項２０】
前記エアバッグ（９）の一部が前記エアバッグ（９）の別の部分の内側に折り込まれる、請求項１３〜１９のいずれか一項に記載のパッケージ化されたエアバッグ。
【請求項２１】
前記エアバッグ（９）が、前記パッケージ化された状態に保持要素により保持される、請求項１３〜２０のいずれか一項に記載のパッケージ化されたエアバッグ。
【請求項２２】
前記保持要素が、前記エアバッグ（９）の少なくとも一部に縫着される破断可能な糸である、請求項２１に記載のパッケージ化されたエアバッグ。
【請求項２３】
請求項１３〜２２のいずれか一項に記載の前記パッケージ化されたエアバッグ（９）の少なくとも一部を収容するハウジング（２０）を備えるエアバッグモジュール。
【発明の詳細な説明】
【技術分野】
【０００１】
本発明は、エアバッグをパッケージ化する方法に関し、より詳細には、歩行者保護エアバッグをパッケージ化する方法に関する。
【背景技術】
【０００２】
添付図面の図１を参照するに、車両２内で車両のボンネット３の後部分の下に歩行者保護エアバッグ１が装着されることが分かる。エアバッグ１は、車両２のフロントガラス４に隣接して装着される。エアバッグ１は、車両２が歩行者と衝突する際に膨張するように構成される。エアバッグ１は、エアバッグ１の第１の側翼部分５および第２の側翼部分６が車両２のＡピラー７、８を少なくとも部分的に覆う図１に示す状態に膨張する。膨張したエアバッグ１は、歩行者の頭部または胴体が車両２のフロントガラス４またはＡピラー７、８にぶつかる可能性を最小限に抑えるクッションを提供する。エアバッグ１は、それにより、歩行者の負傷の危険性を最小限に抑える。
【０００３】
従来の歩行者保護エアバッグは通常、エアバッグが膨張していないときには車両内で可能な限り少ない空間を占有するようにハウジング内にきちんと折り畳まれて保持される。エアバッグをきちんと折り畳む１つの欠点は、いくつかの状況では、エアバッグの織布におけるきちんとした折り目がエアバッグの膨張を制限することである。このことは、膨張時間を増加させ、かつエアバッグが膨張するときにエアバッグの形状を歪める可能性がある。
【発明の概要】
【発明が解決しようとする課題】
【０００４】
本発明は、エアバッグをパッケージ化する改良された方法を提供することを目指すものである。
【課題を解決するための手段】
【０００５】
本発明の一態様によれば、エアバッグをパッケージ化する方法であって、基部を組み込んだエアバッグを準備することと、エアバッグの第１の部分をエアバッグの基部に向けて少なくとも部分的に折り畳むことと、エアバッグをパッケージ化するために、エアバッグの折り畳まれた第１の部分およびエアバッグの第２の部分をエアバッグの基部に向けて少なくとも部分的に巻回することとを含む方法が提供される。
【０００６】
本発明の別の態様によれば、エアバッグをパッケージ化する方法であって、基部を組み込んだエアバッグを準備することと、エアバッグの第１の部分をエアバッグの基部に向けて少なくとも部分的に折り畳むとともに、エアバッグの第１の部分が少なくとも１つのＺ折り目を組み込むようにエアバッグの第１の部分を更に折り畳むことと、エアバッグをパッケージ化するために、エアバッグの折り畳まれた第１の部分およびエアバッグの第２の部分をエアバッグの基部に向けて少なくとも部分的に巻回することとを含む方法が提供される。
【０００７】
好ましくは、エアバッグは、歩行者保護エアバッグである。
【０００８】
便宜上、エアバッグの基部は、ガスの供給源に接続されるべき入口を備える。
【０００９】
有利には、エアバッグの第１の部分を折り畳むことにより、エアバッグの基部の全長が低減される。
【００１０】
好ましくは、方法は更に、エアバッグの第２の部分の全体の大きさを低減するためにエアバッグの第２の部分を折り畳むことを含む。
【００１１】
便宜上、方法は更に、エアバッグの第２の部分が少なくとも１つの追加のＺ折り目を組み込むようにエアバッグの第２の部分を更に折り畳むことを含む。
【００１２】
好ましくは、上記または各追加の折り目は、エアバッグの入口に隣接している。
【００１３】
便宜上、エアバッグの第１の部分は、エアバッグの第２の部分の両側にエアバッグの基部から離れる方向に突出する２つの離間した領域を備える。
【００１４】
一実施形態において、巻回は第１の方向に行われ、かつ、方法は更に、第１の方向とは反対である第２の方向にエアバッグの他の部分を巻回することを含む。
【００１５】
好ましくは、方法は更に、エアバッグの一部分をエアバッグの別の部分の内側に折り込むことを含む。
【００１６】
好ましくは、方法は更に、エアバッグをパッケージ化された状態に保持するために、保持要素を巻回されたエアバッグに取り付けることを含む。
【００１７】
便宜上、保持要素は破断可能な糸であり、かつ、保持要素を設けるステップは、破断可能な糸をエアバッグの少なくとも一部に縫着することを含む。
【００１８】
有利には、巻回するステップは、膨張可能なカーテンエアバッグを巻回するための装置を使用してエアバッグを巻回することを含む。
【００１９】
好ましくは、方法は更に、エアバッグの少なくとも一部をハウジングに挿入することを含む。
【００２０】
本発明の別の態様によれば、車両に使用するパッケージ化されたエアバッグであって、入口を組み込んだ基部と、エアバッグの基部に向けて折り畳まれるエアバッグの第１の部分と、少なくとも部分的に巻回されるエアバッグの第１の部分およびエアバッグの第２の部分とを備え、使用時には、入口を通してエアバッグ内に導入されたガスが、エアバッグの巻回を少なくとも部分的に解き、次いでその後、エアバッグを少なくとも部分的に広げる力を及ぼす、エアバッグが提供される。
【００２１】
本発明の更なる態様によれば、車両に使用するパッケージ化されたエアバッグであって、入口を組み込んだ基部と、エアバッグの基部に向けて折り畳まれるとともに、少なくとも１つのＺ折り目を組み込むように更に折り畳まれるエアバッグの第１の部分と、少なくとも部分的に巻回されるエアバッグの第１の部分およびエアバッグの第２の部分とを備え、使用時には、入口を通してエアバッグ内に導入されたガスが、エアバッグの巻回を少なくとも部分的に解き、次いでその後、エアバッグを少なくとも部分的に広げる力を及ぼす、エアバッグが提供される。
【００２２】
好ましくは、エアバッグは、歩行者保護エアバッグである。
【００２３】
好ましくは、入口は、ガスの供給源に接続される。
【００２４】
便宜上、エアバッグの基部の全長は、エアバッグの第１の部分における折り目により低減される。
【００２５】
有利には、エアバッグの第２の部分の全体の大きさは、追加の折り目により低減される。
【００２６】
好ましくは、エアバッグの第２の部分は、エアバッグの第２の部分にＺ折り目を作るために追加の折り目で折り畳まれる。
【００２７】
便宜上、上記または各追加の折り目は、エアバッグの入口に隣接している。
【００２８】
好ましくは、エアバッグの第１の部分は、エアバッグの第２の部分の両側にエアバッグの基部から離れる方向に突出する２つの離間した領域を備える。
【００２９】
便宜上、エアバッグの第２の部分は、第１の方向に少なくとも部分的に巻回され、かつ、エアバッグの他の部分は、第１の方向とは反対である第２の方向に少なくとも部分的に巻回される。
【００３０】
有利には、エアバッグの一部がエアバッグの別の部分の内側に折り込まれる。
【００３１】
好ましくは、エアバッグは、パッケージ化された状態に保持要素により保持される。
【００３２】
便宜上、保持要素は、エアバッグの少なくとも一部に縫着される破断可能な糸である。
【００３３】
本発明の更なる態様によれば、以下に定義するような請求項１５〜２６のいずれか１項に記載のパッケージ化されたエアバッグの少なくとも一部を収容するハウジングを備えるエアバッグモジュールが提供される。
【００３４】
本発明をより容易に理解できるように、ここで、添付図面を参照して本発明の実施形態を例として説明する。
【図面の簡単な説明】
【００３５】
【図１】車両に装着された膨張した歩行者保護エアバッグの概略図である。
【図２】パッケージ化されていない歩行者保護エアバッグの概略図である。
【図３】エアバッグをパッケージ化する方法の中間段階でエアバッグの部分が折り畳まれた図２に対応する図である。
【図４】エアバッグをパッケージ化する方法の中間段階でエアバッグの側翼部分が巻回された図３に対応する図である。
【図５】エアバッグの反対側を示す図４に対応する図である。
【図６】エアバッグをパッケージ化する方法の後の段階でエアバッグが巻回された図３に対応する図である。
【図７】エアバッグがハウジング内にパッケージ化された状態の図２のエアバッグの概略図である。
【図８】本発明の更なる実施形態の方法の最初のステップでのパッケージ化されていない歩行者保護エアバッグの概略図である。
【図９】エアバッグ９の角部が折り込まれた図８に対応する図である。
【図１０】折り畳まれた後のエアバッグを示す図９に対応する図である。
【図１１】第１の巻回ステップで巻回されるエアバッグの一部を示す図１０に対応する図である。
【図１２】第２の巻回ステップ後のエアバッグ９を示す図１１に対応する図である。
【図１３】入口部分が折り畳まれた図１２に対応する図である。
【図１４】パッケージ化されたエアバッグの巻回部分布の代表例を示す図１３に対応する図である。
【図１５】本発明のなお更なる実施形態の方法のパッケージ化されていない歩行者保護エアバッグの概略図である。
【図１６】２つの追加の折り目を備えるエアバッグを示す図１５に対応する図である。
【発明を実施するための形態】
【００３６】
ここで添付図面の図２を参照するに、好ましい実施形態では、車両安全装置に使用するエアバッグ９は、少なくとも部分的に織布で形成される。エアバッグ９は、膨張可能な中央部分１０と２つの膨張可能な側翼部分１１、１２とを組み込んでいる。一実施形態において、エアバッグ９は、図１に示すように、車両のフロントガラスおよびＡピラーを少なくとも部分的に覆うよう膨張するように構成される歩行者保護エアバッグである。
【００３７】
エアバッグ９は、ガスの供給源に接続されるように構成される入口１４が設けられる基部１３を組み込んでいる。基部１３は、自動車のフロントガラスの幅にほぼ等しい幅Ｗ１を有するエアバッグ９の下縁部の一部を形成する。軸線Ａは、図２に示すように、基部１３の長手方向の長さに沿って延びる。
【００３８】
入口１４は、基部１３の幅Ｗ１に沿ってほぼ中間にエアバッグ９の基部１３に位置決めされる。エアバッグ９の中央部分１０は、入口１４から離れる方向に延びる。側翼部分１１、１２は、中央部分１０の両側で基部１３から離れて外方に延びるように中央部分１０の両側に設けられる。
【００３９】
添付図面の図３を参照するに、一実施形態では、エアバッグ９をパッケージ化する方法の第１のステップが、それぞれの折り線１５、１６に沿って側翼部分１１、１２を折り畳むことを含み、これら側翼部分１１、１２は、エアバッグ９の第１の部分を形成する。折り線１５、１６の各々は、基部１３の軸線Ａに対して角度をなす。一実施形態において、折り線１５、１６は、基部１３の軸線Ａに対して４５°の角度をなす。
【００４０】
折り線１５、１６により作られたエアバッグ９における折り目は、基部１３の幅を低減し、かつ更に、図３に示すように、図２に示す幅Ｗ１からより小さい幅Ｗ２にエアバッグ９の全幅を低減する。
【００４１】
一実施形態において、方法は、図３に示すように、少なくとも２つの他の折り線１７、１８に沿って側翼部分１１、１２を折り畳むことを含む。追加の折り線は、エアバッグ９にＺ折り目を作る。Ｚ折り目は、エアバッグ９の全幅を低減するために、エアバッグ９の部分を互いに対して折り畳む。
【００４２】
折り畳みステップが完了した後に、側翼部分１１、１２により形成されたエアバッグ９の第１の部分が、図４および図５に示すように、基部１３に向けて矢印１９で表す方向に完全に巻回される中間巻回ステップが行われる。中間巻回ステップは、側翼部分１１、１２およびエアバッグ９の中央部分１０により形成されたエアバッグ９の第２の部分を、図６に示すように、基部１３に向けて矢印１９で表す方向に巻回することにより継続する。一実施形態において、巻回ステップは、全ての折り畳みステップが実行された後に行われる。巻回ステップが完了した時点で、エアバッグはパッケージ化された状態にある。
【００４３】
ここで添付図面の図７を参照するに、一実施形態では、保持要素は、エアバッグ９をパッケージ化された状態に保持するために、巻回されたエアバッグ９に固定される。一実施形態において、保持要素は、エアバッグ９をパッケージ化された状態に保持するために、巻回されたエアバッグ９に縫い付けられる糸である。保持要素は、エアバッグ９が膨張することを可能にするためにガスがエアバッグ９内に導入されると破断するように構成される。
【００４４】
一実施形態において、パッケージ化されたエアバッグ９は、図７に示すように、ハウジング２０内に少なくとも部分的に挿入される。また、エアバッグ９の入口１４をインフレータ２１などのガスの供給源に接続してもよい。
【００４５】
ガスの供給源によりエアバッグ９を膨張させるときに、ガスがエアバッグ９の内部に及ぼす力によりエアバッグ９が膨らむにつれて、最初にエアバッグ９の巻回が解ける。エアバッグ９は、エアバッグ９の巻回が少なくとも部分的に解かれた後に折り線１５〜１８の周囲で広がり始める。最初にエアバッグ９の巻回が解けることで、エアバッグ９の折り畳まれた部分が係止されたままとなり、正しく膨らまない可能性が最小限に抑えられる。膨張の際に最初にエアバッグ９の巻回が解けることで、エアバッグ９の折り畳まれた部分に作用してこの折り畳まれた部分を広げるためにエアバッグ９内に注入されるガスのための通路が提供される。それゆえ、パッケージ化されたエアバッグ９の構成は、エアバッグ９の迅速かつ均一な膨張を可能にする。
【００４６】
パッケージ化されたエアバッグ９の更なる利点およびエアバッグ９をパッケージ化する方法は、エアバッグ９をパッケージ化し、ハウジング内に挿入される前にエアバッグ９をパッケージ化された状態に取付機構により保持することができることである。このことは、１つの製造場所でエアバッグ９が作製されてパッケージ化され、次いで、その後のエアバッグモジュールへの組み付けのために別の製造場所にエアバッグ９がパッケージ化された状態で搬送されることを可能にするので有益である。
【００４７】
ここで添付図面の図８を参照するに、本発明の更なる実施形態の方法は、上で説明したエアバッグ９と同じ種類のエアバッグをパッケージ化することを含む。同じ参照符号は、上で説明したエアバッグの要素に対応するエアバッグの要素に使用される。
【００４８】
この更なる実施形態の方法は、最初にエアバッグ９の下側角部２２、２３を折り込むことを含む。折り込まれた角部２２、２３は、図９に点線で示すように、側翼部分１１、１２の下部を形成する織布間においてエアバッグ９の本体内に突出するように裏返される。
【００４９】
エアバッグ９は、エアバッグ９の全幅を低減するために、上で説明したのと同じように折り線１５〜１８の周囲で折り畳まれる。この実施形態では、下側角部２２、２３がエアバッグ９の内側に折り込まれるので、図１０に示すように、エアバッグ９が折り線１５〜１８に沿って折り畳まれた後に、エアバッグ９の側縁部が互いに実質的に平行となる。
【００５０】
この好ましい実施形態のエアバッグ９をパッケージ化する方法の次のステップは、中央部分１０およびエアバッグ９の側翼部分１１、１２の折り畳まれた部分を巻回することを含む。この実施形態では、巻回が内側巻回であり、これにより、最初の巻回方向が側翼部分１１、１２の平面に向かう方向である。この第１の巻回ステップは、エアバッグ９の中間部分が、図１１に示すように、入口１４に対して完全に巻回されるまで実行される。
【００５１】
次いで、側翼部分１１、１２を入口１４に向けて巻回するために、第２の巻回ステップが行われる。この実施形態において、側翼部分１１、１２は、第１の巻回ステップで行われた内側巻回方向とは反対である外側方向に巻回される。側翼部分１１、１２は、図１２に示すように、入口１４に隣接して位置するように巻回される。
【００５２】
この実施形態において、入口１４を形成するエアバッグ９の部分は、入口１４が、図１３に示すように、エアバッグ９の他のセクションに隣接してパッケージ化されるように、Ｚ折り目を形成するために折り線２４〜２７の周囲で折り畳まれる。したがって、エアバッグ９は、均一なハウジング内に容易に収納され得る実質的に均一な厚みの細長い形状にパッケージ化される。
【００５３】
この実施形態では、エアバッグ９をパッケージ化された状態に保持するために、保持テープ２８の形状の保持要素が、パッケージ化されたエアバッグ９に少なくとも部分的に巻き付けられる。
【００５４】
ここで添付図面の図１４を参照するに、パッケージ化されたエアバッグ９のおおよその巻回部分布が、略円錐台形のインジケータ２９〜３１により表されている。インジケータ２９〜３１は、エアバッグ９に対して行われる２つの巻回ステップの結果であるパッケージ化されたエアバッグ９のほぼ一定の厚みを明示している。
【００５５】
本発明のこの更なる実施形態は、コンパクトでかつ収納が容易である、ほぼ一定の厚みを備えたパッケージ化されたエアバッグ９を提供する。更に、展開の際に最初にエアバッグの巻回が解け、次いでその後エアバッグが広がることにより、パッケージ化されたエアバッグ９を迅速に展開させる。
【００５６】
ここで添付図面の図１５を参照するに、本発明のなお更なる実施形態の方法は、上で説明したエアバッグ９と同じ種類のエアバッグをパッケージ化することを含む。同じ参照符号は、上で説明したエアバッグの要素に対応するエアバッグの要素に使用される。
【００５７】
このなお更なる実施形態の方法は、第１の追加の折り目３２の線に沿ってエアバッグ９を折り畳む追加の折り畳みステップを含む。第１の追加の折り目３２は、エアバッグ９の中央部分１０を少なくとも部分的に横切って延びる。第１の追加の折り目３２は、エアバッグ９の入口１４に隣接している。
【００５８】
添付図面の図１６を参照するに、このなお更なる実施形態では、方法は、エアバッグ９が第２の追加の折り目３３の線に沿って折り畳まれる第２の追加の折り畳みステップを含む。この実施形態において、第２の追加の折り目３３の線は、第１の追加の折り目３２の線に正確にまたは実質的に平行である。第１および第２の追加の折り目３２、３３は、第１の大きさＨ１から第２の大きさＨ２にエアバッグ９の全体の大きさを低減する。
【００５９】
本発明のこの更なる実施形態において、第１の追加の折り目３２および第２の追加の折り目３３は、エアバッグ９にＺ折り目を形成する。しかしながら、本発明のなお更なる実施形態では、Ｚ折り目を形成しないただ１つの追加の折り目３２が存在する。他の実施形態では、エアバッグ９の全体の大きさを更に低減するために、入口１４に隣接する３つ以上の追加の折り目が存在する。
【００６０】
上で説明しかつ図２〜図１４に示す実施形態が追加の折り目３２、３３の一方または両方を組み込み得ることが認識されるべきである。
【００６１】
エアバッグ９を膨張させるときに、追加の折り目３２、３３が、エアバッグ９の膨張の早期段階で入口１４に導入されたガスの力により広げられる。追加の折り目３２、３３が広げられると、エアバッグ９の中央部分１０は、入口１４から離れる方向に、エアバッグ９が装着される車両のフロントガラスワイパーを少なくとも部分的に覆う位置まで移動する。エアバッグ９は、エアバッグ９の膨張の早期段階で車両のフロントガラスワイパーを少なくとも部分的に覆うクッションを提供する。このことは、衝突状況の際に歩行者が車両のフロントガラスワイパーにぶつかる危険性を最小限に抑える。
【００６２】
本明細書および特許請求の範囲で使用される場合、「備える（ｃｏｍｐｒｉｓｅｓ）」および「備えている（ｃｏｍｐｒｉｓｉｎｇ）」という用語、ならびにこれら用語の変形は、特定の特徴、ステップまたは整数が含まれることを意味する。用語は、他の特徴、ステップまたは化合物の存在を排除するものと解釈されるべきではない。
【図１】
0006353907.tif 000002
【図２】
0006353907.tif 000003
【図３】
0006353907.tif 000004
【図４】
0006353907.tif 000005
【図５】
0006353907.tif 000006
【図６】
0006353907.tif 000007
【図７】
0006353907.tif 000008
【図８】
0006353907.tif 000009
【図９】
0006353907.tif 000010
【図１０】
0006353907.tif 000011
【図１１】
0006353907.tif 000012
【図１２】
0006353907.tif 000013
【図１３】
0006353907.tif 000014
【図１４】
0006353907.tif 000015
【図１５】
0006353907.tif 000016
【図１６】
0006353907.tif 000017